(57)【要約】【課題】  記録する動画の記録形式に制約がある記録媒体を使用する場合に、記録可能かどうかを事前にユーザに知らせる。【解決手段】  記録媒体（１１０）には、ＡＶＣＨＤフォーマットのＨＤ動画信号が記録されている。記録媒体（１１２）は着脱自在である。信号処理部（１０３）は、ＨＤ動画信号をＳＤ動画信号に変換でききる。制御部（１０７）は、記録媒体（１１２）が装着されると、記録媒体（１１２）にＳＤＶＩＤＥＯフォーマットのＳＤ動画信号を記録できるか否かを判別する。記録できない場合、制御部（１０７）は、表示部（１０５）に記録不可を示す警告を表示させる。【選択図】  図１
2011228867.tif 000002
【特許請求の範囲】
【請求項１】
記録媒体から第１の記録形式の動画信号を再生する再生手段と、
前記再生手段で再生された前記第１の記録形式の動画信号を、前記第１の記録形式とは異なる第２の記録形式の動画信号に変換する変換手段と、
前記変換手段により変換された前記第２の記録形式の動画信号を着脱自在の記録先記録媒体に記録する記録手段と、
前記記録先記録媒体の装着に応じて、前記第２の記録形式の動画信号を前記記録先記録媒体に記録可能かどうかを判別し、記録可能でない場合に、その旨を警告する判別手段
とを備えることを特徴とする記録再生装置。
【請求項２】
前記判別手段は、前記記録先記録媒体の装着に応じて、前記記録先記録媒体に前記第２の記録形式の動画信号が記録されているかどうかを判別し、前記第２の記録形式の動画信号が記録されていない場合に、前記変換手段により変換された第２の動画信号を記録可能であると判別することを特徴とする請求項１に記載の記録再生装置。
【請求項３】
前記第２の記録形式は、複数の放送方式のうちの何れか一つの放送方式の動画信号を記録すると他の放送方式の動画信号を記録することができない形式であり、前記判別手段は、前記記録先記録媒体に前記第２の記録形式の動画信号が記録されていた場合に、更に、前記記録先記録媒体に前記第２の記録形式で記録されている動画信号の放送方式が前記記録媒体に記録されている第１の記録形式の動画信号の放送方式と同じであるかどうかを判別し、前記第２の記録形式で記録されている動画信号の放送方式が前記記録媒体に記録されている第１の記録形式の動画信号の放送方式と同じである場合に、前記変換手段により変換された第２の動画信号を記録可能であると判別することを特徴とする請求項２に記載の記録再生装置。
【請求項４】
記録媒体から第１の記録形式の動画信号を再生する再生手段と、
前記再生手段で再生された前記第１の記録形式の動画信号を、前記第１の記録形式とは異なる第２の記録形式の動画信号に変換する変換手段と、
前記変換手段により変換された前記第２の記録形式の動画信号を前記記録媒体に記録する記録手段と、
前記記録媒体の装着に応じて、前記第２の記録形式の動画信号を前記記録媒体に記録可能かどうかを判別し、記録可能でない場合に、その旨を警告する判別手段
とを備えることを特徴とする記録再生装置。
【発明の詳細な説明】
【技術分野】
【０００１】
本発明は記録再生装置に関し、特に、動画を記録再生する記録再生装置に関する。
【背景技術】
【０００２】
【先行技術文献】
【特許文献】
【０００３】
【特許文献１】特開２００９−０７６１７５号公報
【０００４】
従来、動画や音声をハードディスク（ＨＤＤ）やフラッシュメモリ等のランダムアクセス可能な記録媒体に記録する装置が知られている（例えば、特許文献１参照）。また、記録された動画や音声の記録形式を変換し、元の記録媒体や別の記録媒体に記録する機能を持つものもある。
【発明の概要】
【発明が解決しようとする課題】
【０００５】
記録された動画や音声の記録形式を変換して記録する場合、変換後の記録形式によっては同じ記録媒体に記録できない場合がある。例えば、同一の記録媒体にＮＴＳＣ方式とＰＡＬ方式の両方の動画を記録できないフォーマットの場合で、既にＰＡＬ方式の動画が記録されているとき、ＮＴＳＣの動画を記録できない。
【０００６】
このような制約は、従来、ユーザが記録形式の変換を指示するまでは分からず、不便であった。
【０００７】
本発明は、この様な不都合を解消する記録再生装置を提示することを目的とする。
【課題を解決するための手段】
【０００８】
本発明に係る記録再生装置は、記録媒体から第１の記録形式の動画信号を再生する再生手段と、前記再生手段で再生された前記第１の記録形式の動画信号を、前記第１の記録形式とは異なる第２の記録形式の動画信号に変換する変換手段と、前記変換手段により変換された前記第２の記録形式の動画信号を着脱自在の記録先記録媒体に記録する記録手段と、前記記録先記録媒体の装着に応じて、前記第２の記録形式の動画信号を前記記録先記録媒体に記録可能かどうかを判別し、記録可能でない場合に、その旨を警告する判別手段とを備えることを特徴とする。
【０００９】
本発明に係る記録再生装置は、記録媒体から第１の記録形式の動画信号を再生する再生手段と、前記再生手段で再生された前記第１の記録形式の動画信号を、前記第１の記録形式とは異なる第２の記録形式の動画信号に変換する変換手段と、前記変換手段により変換された前記第２の記録形式の動画信号を前記記録媒体に記録する記録手段と、前記記録媒体の装着に応じて、前記第２の記録形式の動画信号を前記記録媒体に記録可能かどうかを判別し、記録可能でない場合に、その旨を警告する判別手段とを備えることを特徴とする。
【発明の効果】
【００１０】
本発明によれば、記録された動画の記録形式を変換することができるかどうかを、変換処理の前に確認することができる。
【図面の簡単な説明】
【００１１】
【図１】本発明の一実施例であるビデオカメラの概略構成ブロック図である。
【図２】記録媒体に記録されるディレクトリ構成図である。
【図３】記録媒体装着時の判別処理を示すフローチャートである。
【図４】記録媒体装着時の別の判別処理を示すフローチャートである。
【発明を実施するための形態】
【００１２】
以下、図面を参照して、本発明の実施例を詳細に説明する。
【実施例１】
【００１３】
図１は、本発明に係る記録装置の一実施例であるビデオカメラ１００の概略構成ブロック図である。
【００１４】
撮像部１０１は被写体を撮影し、被写体を示す動画信号を生成して出力する。撮像部１０１は、ズームレンズやフォーカスレンズ等の光学系、ＣＣＤ等の撮像素子、アイリス、撮像素子による画像信号をデジタル信号に変換するＡＤ変換器、及び、画像信号に必要な処理を施す処理回路等を含む。本実施例では、撮像部１０１は、ＮＴＳＣ方式の動画信号を生成する。また、本実施例では、１フレームあたりの画素数が横１９２０画素×縦１０８０画素のＨＤ信号を出力する。
【００１５】
音声入力部１０２はマイクロフォン、アンプ及びＡＤ変換器等を含み、外部の音声を取得して、デジタル音声信号を出力する。
【００１６】
信号処理部１０３は、画像信号及び音声信号を圧縮符号化し、復号化する符号化復号化手段又は圧縮伸長手段を有する。すなわち、信号処理部１０３は、記録モードでは、撮像部１０１からの動画信号をＨ．２６４（ＭＰＥＧ４／ＡＶＣ）方式に従って圧縮符号化し、音声入力部１０２からの音声信号をＡＣ３方式で符号化する。また、信号処理部１０３は、再生モードでは、再生された符号化動画信号及び符号化音声信号を復号化する。詳細は後述するが、信号処理部１０３はまた、記録媒体１１０，１１２に記録される動画信号をＳＤ信号に変換すると共に、その記録形式を所定のファイル形式に変換する。
【００１７】
表示制御部１０４は、制御部１０７からの指示に従い、動画及び各種の情報を表示部１０５に表示する。表示部１０５は液晶表示パネル等の公知の表示デバイスを含む。
【００１８】
メモリ１０６は、動画信号、音声信号、及び各種の情報を記憶する。制御部１０７は、マイクロコンピュータ及びその他必要な構成を有し、メモリ１０６に記憶されたプログラムに従いビデオカメラ１００の各部の動作を制御する。操作部１０８は、電源スイッチ、動画の撮影開始停止を指示するトリガスイッチ、再生モードへの切り替えスイッチ及びメニュースイッチ等の各種のスイッチを備える。制御部１０７は、操作部１０８からの指示に応じて各部を制御する。
【００１９】
記録再生部１０９，１１１はそれぞれ、制御部１０７からの指示に従い、動画信号、音声信号及び各種の情報を記録媒体１１０，１１２に記録し、また、記録媒体１１０，１１２から再生する。記録媒体１１０，１１２はメモリカード、又はハードディスク（ＨＤＤ）等のランダムアクセス可能な記録媒体である。本実施例では、記録媒体１１０はビデオカメラ１００に内蔵され、記録媒体１１２は、不図示の装着排出機構により、ビデオカメラ１００に着脱自在である。
【００２０】
記録再生部１１１は、記録媒体１１２の装着／排出を検出し、その旨を制御部１０７に知らせる。出力部１１３は、撮影中の動画信号及び音声信号、又は、再生された動画信号及び音声信号を外部の表示装置等に出力する。
【００２１】
バス１１４は、ビデオカメラ１００の各部の間で、各種のデータやコマンドを転送するために用いられる。
【００２２】
本実施例では、ユーザが操作部１０８を操作することにより、二つの記録媒体１１０、１１２のうちの何れかを選択でき、選択された記録媒体に動画及び音声が記録される。また、再生時にも、選択された記録媒体から動画及び音声を再生する。
【００２３】
ビデオカメラ１００の基本的な撮影処理及び再生処理を説明する。記録先として記録媒体１１０が選択されているとする。
【００２４】
操作部１０８によりビデオカメラ１００の電源が投入されると、制御部１０７は、撮像部１０１からの動画信号に応じた動画を表示部１０５に表示させ、記録ポーズ状態となる。この状態で、操作部１０８により撮影開始の指示があると、制御部１０７は各部を制御し、動画信号と音声信号の記録を開始する。撮像部１０１と音声入力部１０２は、制御部１０７による制御下に、動画信号と音声信号をそれぞれ出力する。この動画信号と音声信号は、バス１１４を介して一旦メモリ１０６に記憶される。
【００２５】
信号処理部１０３は、メモリ１０６に記憶される動画信号と音声信号を符号化し、符号化データをメモリ１０６に記憶する。記録先として選択された記録媒体１１０に対応する記録再生部１０９は、制御部１０７からの指示に従い、メモリ１０６から動画信号と音声信号を読み出し、選択された記録媒体１１０に記録する。本実施例では、記録再生部１０９，１１１は、記録媒体１１０，１１２に記録した動画信号と音声信号を、所定のファイルシステムに従い動画ファイルとして管理する。また、本実施例では、撮影開始の指示から撮影停止の指示までの間に記録された一連のシーンの動画像信号と音声信号が、一つのファイルとして管理される。制御部１０７は、記録媒体１１０，１１２に記録された各動画ファイルの記録位置及び各種の付加情報を含む管理情報ファイルを作成し、同じ記録媒体１１０，１１２に記録する。
【００２６】
制御部１０７は、操作部１０８により撮影停止の指示に応じて、記録再生部１０９、１１１を制御して、記録媒体１１０，１１２に対する動画像信号と音声信号の記録を停止する。
【００２７】
記録媒体１１０，１１２に記録されるデータのファイル構成を説明する。図２は、記録媒体１１０，１１２に記録されるデータのファイル構成を示す。ルートディレクトリ２０１は最上位のディレクトリである。ディレクトリ２０２はディレクトリ名がＨＤであり、ルートディレクトリ２０１の下に配置されるディレクトリである。ビデオカメラ１００により撮影されて記録されるＨＤ信号は、第１の記録形式（フォーマット）に従い、このＨＤディレクトリ２０２に格納される。例えば、第１の記録フォーマットはＡＶＣＨＤフォーマットである。ディレクトリ２０３はディレクトリ名がＰＬＡＹＬＩＳＴであり、ＨＤディレクトリ２０２の下に配置されるディレクトリである。ＰＬＡＹＬＩＳＴディレクトリ２０３には、ＨＤ信号用のプレイリストファイル２０４が格納される。
【００２８】
ディレクトリ２０５はディレクトリ名がＳＴＲＥＡＭであり、ＨＤディレクトリ２０２の下に配置されるディレクトリである。ＳＴＲＥＡＭディレクトリ２０５には、ＨＤ信号の複数の動画ファイル２０６が格納される。各動画ファイル２０６は、上述のように圧縮符号化された動画像データと音声データを収容する。各動画ファイル２０６のファイル名は、５桁の数字に“．ＭＴＳ”を付加したものとなる。各動画ファイルをＭＴＳファイルと称す。
【００２９】
ディレクトリ２０７はディレクトリ名がＩＮＦＯであり、ＨＤディレクトリ２０２の下に配置されるディレクトリである。ＩＮＦＯディレクトリ２０７には、ＨＤ信号の動画ファイルに関する複数の情報ファイル２０８が格納される。各情報ファイル２０８は、ＳＴＲＥＡＭディレクトリ２０５に格納されたＭＴＳファイルに関する情報を収容する。各情報ファイル２０８のファイル名は、４桁の数字に“．ＩＮＦ”を付加したものとなる。これらの情報ファイル２０８をＩＮＦファイルと称す。
【００３０】
同一の番号を有するＭＴＳファイル２０６とＩＮＦファイル２０８がセット又は対となる。例えば、ファイル名”０００００．ＭＴＳ”の動画ファイル２０６に関する情報が、ファイル名”０００００．ＩＮＦ”の情報ファイル２０８に記録される。ＩＮＦファイル２０８には、対応するＭＴＳファイル２０６を再生するための情報が格納されている。例えば、ＭＴＳファイル２０６に格納されたＭＰＥＧの動画データにおける各Ｉピクチャの先頭からのオフセット位置を示すテーブルなどが、ＩＮＦファイル２０８に記録される。
【００３１】
プレイリストファイル２０４には、これらのＭＴＳファイル２０６の再生順序が記載されている。さらにプレイリストファイル２０４には、ＭＴＳファイル２０６に格納された動画データの放送方式を示す情報が格納される。具体的には、動画の放送方式がＮＴＳＣ方式かＰＡＬ方式かを判別するための情報が格納される。
【００３２】
ＡＶＣＨＤフォーマットでは、一つの記録媒体には複数のＨＤディレクトリを作成できず、一つのＨＤディレクトリのみ作成可能である。そして、一つの記録媒体に対しては、複数の放送方式の動画を同時に記録することが禁止される。具体的には、ＮＴＳＣ方式とＰＡＬ方式の何れか一方の放送方式の動画のみを記録できる。
【００３３】
ディレクトリ２０９はディレクトリ名がＳＤであり、ルートディレクトリ２０１の下に配置されるディレクトリである。後述の様に、信号処理部１０３によりＨＤ信号から変換されたＳＤ信号が、ＡＶＣＨＤフォーマットとは異なるＳＤＶＩＤＥＯフォーマットでＳＤディレクトリ２０９に格納される。ここでは、ＳＤＶＩＤＥＯフォーマットを第２の記録フォーマットとする。
【００３４】
ディレクトリ２１０はディレクトリ名がＭＧＲであり、ＳＤディレクトリ２０９の下に配置されるディレクトリである。ＭＧＲディレクトリ２１０には、ＳＤ信号用のプログラム管理ファイル２１１が格納される。プログラム管理ファイル２１１をＭＧＲファイルと称す。
【００３５】
ディレクトリ２１２はディレクトリ名が“ＰＲＧ”に３桁の数字を付加したものからなり、ＳＤディレクトリ２０９の下に配置されるディレクトリである。ディレクトリ２１２には、プログラム情報ファイル２１３、ＳＤ信号の複数の動画ファイル２１４、及び、動画ファイル２１４に対応する複数の情報ファイル２１５が格納される。ディレクトリ２１２をプログラムディレクトリと称す。
【００３６】
一つのプログラムディレクトリ２１２に記録できるＳＤＶＩＤＥＯフォーマットの動画ファイル数には上限がある。一つのプログラムディレクトリ２１２に格納された動画ファイルの数が上限に達すると、新たにプログラムディレクトリが作成され、その下に動画ファイルが格納される。ディレクトリ２１６も、プログラムディレクトリである。
【００３７】
動画ファイル２１４はＳＤ信号の動画信号と音声信号を含むファイルであり、ファイル名が３桁の数字に“．ＭＯＶ”を付加したものからなる。動画ファイル２１４をそれぞれＭＯＶファイルと称す。情報ファイル２１５はファイル名が３桁の数字に“．ＭＯＩ”を付加したものからなる。情報ファイル２１５をＭＯＩファイルと称す。
【００３８】
同一の番号が付加されたＭＯＶファイル２１４とＭＯＩファイル２１５がセット又は対となっている。例えば、ファイル名”０００．ＭＯＶ”の動画ファイル２１４に関する情報が、ファイル名”０００．ＭＯＩ”の情報ファイル２１５に記録されている。情報ファイル２１５には、対応する動画ファイル２１４の動画を再生するための情報が格納されている。例えば、動画ファイル２１４に格納されているＭＰＥＧの動画データにおける各Ｉピクチャの先頭からのオフセット位置を示すテーブルなどが記録されている。
【００３９】
プログラム情報ファイル２１３は、ファイル名が３桁の数字に“．ＰＲＩ”を付加したものからなる。プログラム情報ファイル２１３は、プログラムディレクトリ２１２に格納されたファイルに関する情報を収容する。例えば、プログラムディレクトリ２１２に格納された動画ファイル２１４の再生順序を示す。また、プログラムディレクトリ２１２，２１６間の再生順序が、ＭＧＲファイル２１１に記載される。すなわち、ＳＤＶＩＤＥＯフォーマットでは、ＭＧＲファイル２１１と各プログラムディレクトリ２１２，２１６内のＰＲＩファイル２１３，・・・によって、全ての動画ファイル２１４，・・・の再生順序が決定される。
【００４０】
また、ＰＲＩファイル２１３には、プログラムディレクトリ２１２に格納されたＭＯＶファイル２１４の動画データがＮＴＳＣ方式かＰＡＬ方式かを示す情報も記録されている。この、ＳＤＶＩＤＥＯフォーマットでも、一つの記録媒体には複数のＳＤディレクトリを作成できず、一つのＳＤディレクトリのみ作成可能である。そして、一つの記録媒体に対しては、複数の放送方式の動画を同時に記録することは禁止される。
【００４１】
なお、本実施例では、内蔵の記録媒体１１０にはＨＤ信号のみを記録するので、図２のＳＤディレクトリ２０９以下のファイルは、記録媒体１１０には記録されない。記録媒体１１０に記録したＨＤ動画信号をＳＤ動画信号に変換して記録媒体１１２に記録する場合、記録媒体１１２にＳＤディレクトリ２０９以下を作成して、変換後のＳＤ動画信号を記録する。記録媒体１１２は交換可能な記録媒体であるので、ビデオカメラ１００に装着されたときに既にＳＤディレクトリ２０９が作成されている場合もある。この場合、ＳＤディレクトリ２０９が新たに作成されることはない。
【００４２】
本実施例の再生処理を説明する。再生元として、記録媒体１１０が選択されているとする。操作部１０８により再生モードへの切り替え指示があると、制御部１０７は、選択された記録媒体１１０に対応する記録再生部１０９を制御して、記録媒体１１０から管理ファイルを再生し、メモリ１０６に記憶する。
【００４３】
制御部１０７は、メモリ１０６に記憶された管理ファイルに基づき、記録媒体１１０に記録された動画ファイルに含まれる動画信号の先頭部分を読み出す。そして、信号処理部１０３は、読み出された動画信号の先頭部分を復号し、表示制御部１０４に送る。表示制御部１０４は、復号された先頭画面のサイズを縮小することによりこのシーンの代表画像を生成する。このプロセスを記録媒体１１０に記録される所定数の動画ファイルについて実行することで、複数の代表画像からなるインデックス画面が生成され、表示部１０５に表示される。
【００４４】
ユーザは、操作部１０８を操作し、インデックス画面に表示される各シーンの代表画像のうち、再生したい所望のシーンを選択し、再生を指示する。
【００４５】
制御部１０７は、この再生指示に応じて、選択された代表画像に対応した動画ファイルを再生するように記録再生部１０９を制御する。記録再生部１０９は、指定された動画ファイルを記録媒体１１０から読み出し、メモリ１０６に格納する。信号処理部１０３は、メモリ１０６から動画信号と音声信号を読み出して復号し、メモリ１０６に格納する。表示制御部１０４は、メモリ１０６から復号された動画信号を読み出し表示部１０５に供給する。これにより、再生動画が表示部１０５に表示される。また、音声信号は、不図示のスピーカから出力される。
【００４６】
再生停止の指示があると、制御部１０７は、記録再生部１０９による動画ファイルの読み出しを停止し、再び、インデックス画面を表示部１０５に表示させる。
【００４７】
記録媒体１１２の装着時における判別処理を説明する。ビデオカメラ１００は、記録媒体１１０に記録されたＨＤ動画信号をＳＤ動画信号に変換し、記録媒体１１２に記録する機能を持つ。ただし、装着された記録媒体１１２に既に、ＰＡＬ方式の動画信号がＳＤＶＩＤＥＯフォーマットで記録されていた場合、ＮＴＳＣ方式のＳＤ動画信号をＳＤＶＩＤＥＯフォーマットで記録することができない。そこで、本実施例では、記録先記録媒体となる記録媒体１１２が装着された際に、記録媒体１１２に変換後のＳＤ動画信号をＳＤＶＩＤＥＯフォーマットで記録できるか否かを判別する判別処理を実行する。変換後のＳＤ動画信号をＳＤＶＩＤＥＯフォーマットで記録できない場合には、警告を表示する。
【００４８】
図３は、この判別処理のフローチャートを示す。図３に示す処理は、制御部１０７により実行される。
【００４９】
記録再生部１１１により記録媒体１１２の装着が検出されるか、または、操作部１０８により電源が投入されると、図３の処理が開始する。制御部１０７は、記録媒体１１２に図２のＨＤディレクトリ２０２及びＳＤディレクトリ２０９がそれぞれ記録されているかどうかを、記録再生部１１１に確認させる（Ｓ３０１）。ＨＤディレクトリ２０２が作成済みで、第１の記録形式であるＡＶＣＨＤフォーマットで動画が記録されているかどうかを判別する（Ｓ３０２）。
【００５０】
記録媒体１１２に既にＡＶＣＨＤフォーマットでＨＤ動画信号が記録されている場合、制御部１０７は、記録媒体１１２の状態が以下の条件に一致するか否かを確認する（Ｓ３０３）。すなわち、条件１は、記録されている動画のシーン（動画ファイルの数）が、ＡＶＣＨＤフォーマットで既定されたシーン数の上限未満であることである。条件２は、ファイルフォーマットが正しいことである。条件３は、ファイルシステムが正しいことである。条件４は、ＡＶＣＨＤフォーマットで記録されている動画の放送方式が、ビデオカメラ１００により記録される動画の放送方式と一致していることである。条件５は、プロテクトがかかっていないことである。条件６は、書き込み速度が所定速度以上であることである。
【００５１】
本実施例では、ビデオカメラ１００は、第１の記録形式であるＡＶＣＨＤフォーマットに従ってＨＤ動画信号を記録する。従って、条件１については、記録先記録媒体である記録媒体１１２の記録シーン数を検出し、ＡＶＣＨＤフォーマットの記録可能シーン数以下かどうかを判別する。
【００５２】
条件２については、記録媒体１１２のファイルフォーマットがＡＶＣＨＤフォーマットで既定されたファイルフォーマットかどうかを検出する。条件３については、記録媒体１１２のファイルシステムが、ビデオカメラ１００で扱うことができるファイルシステムかどうかを判別する。
【００５３】
条件４については、記録媒体１１２にＡＶＣＨＤフォーマットで記録されている動画信号の放送方式が、ビデオカメラ１００により記録する動画信号の放送方式と同じかどうかを検出する。ビデオカメラ１００は、ＮＴＳＣ方式の動画信号を記録するので、記録媒体１１２にＮＴＳＣ方式以外の放送方式、例えば、ＰＡＬ方式の動画が記録されていないかどうかを判定する。
【００５４】
条件５については、記録媒体１１２にデータ書き込みができないようにプロテクト設定されているかどうかを判別する。
【００５５】
制御部１０７は、記録媒体１１２が条件１〜６の全てを満たすか否かを確認し、記録媒体１１２にＡＶＣＨＤフォーマットでＨＤ動画信号を記録可能か否かを判別する（Ｓ３０４）。何れかの条件を満たさない場合、制御部１０７は、記録媒体１１２に撮影動画信号を記録できない旨を示す警告情報を表示部１０５に表示させる（Ｓ３０９）。
【００５６】
条件１〜６を全て満たし、ＨＤ動画信号をＡＶＣＨＤフォーマットで記録可能である場合（Ｓ３０４）、制御部１０７は、第２の記録形式であるＳＤＶＩＤＥＯフォーマットの動画信号が記録媒体１１２に記録されているか否かを判別する（Ｓ３０５）。記録媒体１１２にＳＤＶＩＤＥＯフォーマットのＳＤ動画信号が記録されていない場合（Ｓ３０５）、そのまま処理を終了する。
【００５７】
記録媒体１１２にＳＤＶＩＤＥＯフォーマットのＳＤ動画信号が記録されていた場合（Ｓ３０５）、制御部１０７は、記録媒体１１２が以下の条件７を満たすか否かを確認する（Ｓ３０６）。条件７は、ＳＤＶＩＤＥＯフォーマットで記録されている動画の放送方式が、ビデオカメラ１００により記録される動画の放送方式と一致していることである。ビデオカメラ１００は、ＮＴＳＣ方式の動画信号を記録するので、ここでは記録媒体１１２にＮＴＳＣ方式以外の放送方式、例えばＰＡＬ方式の動画がＳＤＶＩＤＥＯフォーマットで記録されていないかどうかを判別する。
【００５８】
制御部１０７は、記録媒体１１２が条件７を満たすか否かを確認し、記録媒体１１２にＳＤＶＩＤＥＯフォーマットで変換後のＳＤの動画信号を記録できるか否かを判別する（Ｓ３０７）。条件７を満たさない場合、制御部１０７は、変換後の動画信号を記録媒体１１２に記録できない旨を示す警告を表示部１０５に表示させる（Ｓ３０８）。
【００５９】
条件７が満たされ、変換後のＳＤ動画信号がＳＤＶＩＤＥＯフォーマットで記録可能である場合（Ｓ３０７）、そのまま処理を終了する。
【００６０】
ＨＤ／ＳＤの変換処理を説明する。再生モードで記録媒体１１０に記録されている動画のインデックス画面を表示している状態で、ユーザが操作部１０８を操作して、変換対象の動画ファイルを選択する。そして、ユーザが、選択した動画ファイルの変換を操作部１０８で指示する。この変換指示に応じて、制御部１０７は、記録媒体１１０から指定されたＨＤ動画ファイルを読み出し、信号処理部１０３によりＳＤ動画信号に変換し、ＳＤＶＩＤＥＯフォーマットで記録媒体１１２に記録する。
【００６１】
このとき、制御部１０７は、記録媒体１１２の空き容量の範囲内に入るかどうかを事前に確認するために、指定された動画信号をＳＤＶＩＤＥＯフォーマットに変換した際のデータ量（予測値）を算出する。なお、ここでは、撮影時に記録されたＨＤ動画信号の符号化形式をＭＰＥＧ２に変換するものとする。また、音声信号は、ＡＣ３方式のままで変換しない。変換後の動画信号のデータレート（ビットレート）を所定値とした場合で、データ量を算出する。算出したデータ量と記録媒体１１２の空き容量とを比較し、変換後の動画信号を記録先記録媒体に記録できるかどうかを判別する。
【００６２】
記録媒体１１２の空き容量が算出したデータ量よりも少ない場合、制御部１０７は、記録媒体１１２の空き容量が少なくて変換処理ができない旨の警告画面を表示部１０５に表示させ、再度、インデックス画面を表示させる。
【００６３】
また、記録媒体１１２の空き容量が算出したデータ量以上の場合、制御部１０７は、指定された動画ファイルを記録媒体１１０から順次読み出すように記録再生部１０９に指示する。制御部１０７はまた、再生されたＨＤ動画信号の変換を信号処理部１０３に指示する。信号処理部１０３は、再生された動画信号を一旦復号した後、画面サイズをＳＤサイズ（横７２０画素×横４８０画素）に縮小した後、ＭＰＥＧ２方式で圧縮符号化し、記録再生部１１１に出力する。記録再生部１１１は、信号処理部１０３からの変換後のＳＤ動画信号と、音声信号とをＳＤＶＩＤＥＯフォーマットで記録媒体１１２に記録する。このときに記録媒体１１２に記録される１つのＳＤ動画ファイルは、記録媒体１１０に記録された変換対象の１つの動画ファイルに対応する。
【００６４】
この様に、本実施例では、記録媒体１１２が装着された際に、変換後の動画信号の記録フォーマットであるＳＤＶＩＤＥＯフォーマットで動画信号が記録されているか否かを判別する。そして、更に、記録媒体１１２にＳＤＶＩＤＥＯフォーマットで記録された動画の放送方式が、ビデオカメラ１００が記録する動画の放送方式と一致するか否かを判別する。何れかが一致しない場合、その旨を警告するので、ユーザは、記録媒体１１２を装着した時点で、記録媒体１１０に記録されたＨＤ動画をＳＤ動画に変換して記録媒体１１２に記録可能かどうかを知ることができる。
【００６５】
記録媒体１１０をソースの記録媒体とし、記録媒体１１２を記録先記録媒体とする使用する実施例を説明したが、交換可能な一つの記録媒体をソース及び記録先の記録媒体とする構成にも適用可能である。例えば、図１において、記録再生部１０９及び記録媒体１１０を備えない構成であってもよい。この場合、撮影されたＨＤ動画信号をＡＶＣＨＤフォーマットで記録媒体１１２に記録する。また、記録媒体１１２に記録されたＨＤ動画信号を読み出し、信号処理部１０３によりＳＤ動画信号に変換した後、記録再生部１１１によりＳＤＶＩＤＥＯフォーマットでＳＤ動画信号を記録媒体１１２に記録する。この様な構成で、記録媒体１１２が装着された際に、図３に示す処理を実行する。これにより、ユーザは、記録媒体１１２を装着した時点で、記録媒体１１２に記録されたＨＤ動画をＳＤ動画に変換して記録媒体１１２に記録可能かどうかを知ることができる。
【実施例２】
【００６６】
図３に示す判別処理を図４に示すように変更しても良い。図４において、図３と同じ処理には同一の符号を付加してあり、その説明を省略する。すなわち、ステップＳ３０１からステップＳ３０６までの処理は、図３と同様である。
【００６７】
ステップＳ３０６の後に、制御部１０７は、記録媒体１１２が条件７を満たすか否か、すなわち、ＳＤＶＩＤＥＯフォーマットの動画の放送方式がビデオカメラ１００の放送方式と一致するか否かを判別する（Ｓ４０１）。放送方式が一致していない場合（Ｓ４０１）、制御部１０７は、その時点で記録媒体１１２に記録されているＳＤディレクトリの名前を別のディレクトリ名に変更する（Ｓ４０２）。このとき、ＳＤ＿ＢＫ等の予め決められたディレクトリ名に変更することで、変更後のディレクトリが、元々記録されていたものであることが容易に認識できるようになる。
【００６８】
一方、Ｓ４０１において、放送方式が同じ場合（Ｓ４０１）、そのまま処理を終了する。
【００６９】
ＳＤディレクトリの名前を変更した場合（Ｓ４０２）、記録媒体１１０に記録されたＨＤ動画信号の変換処理の際に、新たに記録媒体１１２にＳＤディレクトリ２０９を生成する。そして、変換後の動画信号をＳＤＶＩＤＥＯフォーマットで記録媒体１１２に記録する。
【実施例３】
【００７０】
信号処理部１０３から変換機能を削除しても良い。そして、記録媒体１１２が装着された際に、図３に示す処理を実行する。その処理で、ビデオカメラ１００の放送方式とは異なる放送方式でＳＤＶＩＤＥＯフォーマットの動画信号が記録媒体１１２に記録されている場合に、その旨を警告する。
【００７１】
この様にすることで、記録媒体１１２を装着して変換処理を行う場合に、放送方式が異なる故に変換処理を実行できないことを、ユーザに事前に知らせることができる。
【００７２】
ビデオカメラに適用した実施例を説明したが、ビデオカメラ以外にも、動画信号を取得して記録媒体に記録した後、記録された動画信号の記録形式を変換する装置に本発明を適用可能である。
【図１】
2011228867.tif 000003
【図２】
2011228867.tif 000004
【図３】
2011228867.tif 000005
【図４】
2011228867.tif 000006